【手続補正書】
【提出日】平成24年3月15日(2012.3.15)
【手続補正１】
【補正対象書類名】明細書
【補正対象項目名】発明の名称
【補正方法】変更
【補正の内容】
【発明の名称】燃料電池の製造方法
【手続補正２】
【補正対象書類名】明細書
【補正対象項目名】０００１
【補正方法】変更
【補正の内容】
【０００１】
本発明は、電解質膜の両側に一対の電極を設けた電解質膜・電極構造体とセパレータとが積層されるユニットセルを備え、前記ユニットセルが接合ピンにより一体化される燃料電池の製造方法に関する。
【手続補正３】
【補正対象書類名】明細書
【補正対象項目名】０００７
【補正方法】変更
【補正の内容】
【０００７】
本発明はこの種の問題を解決するものであり、複数の燃料電池を容易且つ迅速に組み立てることができ、前記燃料電池の組み立て作業を効率的に行うことが可能な燃料電池の製造方法を提供することを目的とする。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
本発明は、電解質膜の両側に一対の電極を設けた電解質膜・電極構造体とセパレータとが積層されるセルユニットを備え、前記セルユニットが接合ピンにより一体化される燃料電池の製造方法に関するものである。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】変更
【補正の内容】
【００１７】
本発明によれば、接合ピンは、凹部が吸引されることにより組み立て位置に確実に位置決め保持された状態で、セルユニットの孔部に前記接合ピンが挿入されている。このため、接合ピンをセルユニットの孔部に挿入する作業が簡素化される。
【手続補正１２】
【補正対象書類名】明細書
【補正対象項目名】００１９
【補正方法】変更
【補正の内容】
【００１９】
【図１】本発明の第１の実施形態に係る燃料電池の要部分解斜視説明図である。
【図２】前記燃料電池を構成する第１セパレータの一方の面側の説明図である。
【図３】前記燃料電池を構成する第２セパレータの一方の面側の説明図である。
【図４】前記燃料電池を構成する第３セパレータの正面説明図である。
【図５】前記燃料電池を構成する樹脂製締結部の、図１中、Ｖ−Ｖ線断面図である。
【図６】前記樹脂製締結部に接合ピンが挿入される際の、図１中、ＶＩ−ＶＩ線断面図である。
【図７】溶着装置の概略斜視説明図である。
【図８】前記樹脂製締結部により燃料電池を組み立てる際の説明図である。
【図９】成形装置の概略説明図である。
【図１０】前記成形装置が離間された状態の説明図である。
【図１１】前記成形装置から接合ピンが離型される際の説明図である。
【図１２】吸着作業台上に前記接合ピンが吸着保持される際の説明図である。
【図１３】前記接合ピンにセルユニットが配置される際の説明図である。
【図１４】本発明の第２の実施形態に係る燃料電池の要部分解斜視説明図である。
【図１５】前記燃料電池を構成する樹脂製締結部の断面説明図である。
【図１６】本発明の第３の実施形態に係る燃料電池を構成するセルユニットの要部断面説明図である。
【手続補正１３】
【補正対象書類名】明細書
【補正対象項目名】００５６
【補正方法】変更
【補正の内容】
【００５６】
各セルユニット１２の新規組み立て時には、図８に示すように、第１セパレータ１４の樹脂製締結部１１０ａに設けられている連結ピン部１１２が、第２及び第３セパレータ１８、２０の樹脂製締結部１１０ｂ、１１０ｃに設けられている各孔部１１６に一体に挿入される。
【手続補正１４】
【補正対象書類名】明細書
【補正対象項目名】００８８
【補正方法】変更
【補正の内容】
【００８８】
第１セパレータ１７４の電解質膜・電極構造体１７６に向かう面１４ａには、第１燃料ガス流路３６が形成され、第２セパレータ１７８の前記電解質膜・電極構造体１７６に向かう面２０ａには、第１酸化剤ガス流路５０が形成される。第１セパレータ１７４の面１４ｂと第２セパレータ１７８の面２０ｂとの間には、冷却媒体流路４４が形成される。
【手続補正１５】
【補正対象書類名】特許請求の範囲
【補正対象項目名】全文
【補正方法】変更
【補正の内容】
【特許請求の範囲】
【請求項１】
電解質膜の両側に一対の電極を設けた電解質膜・電極構造体とセパレータとが積層されるセルユニットを備え、前記セルユニットが接合ピンにより一体化される燃料電池の製造方法であって、
前記接合ピンの大径フランジ部に形成された凹部を吸引することにより、前記接合ピンを組み立て位置に位置決め保持する工程と、
前記接合ピンを、前記セパレータに設けられた孔部に挿入させて、前記セルユニットを配設する工程と、
前記セルユニットから外部に露呈する前記接合ピンの端部を拡径させて頭部を形成し、前記頭部及び前記大径フランジ部で前記セルユニットを一体に保持する工程と、
を有することを特徴とする燃料電池の製造方法。
【請求項２】
請求項１記載の燃料電池の製造方法において、
前記接合ピンは、樹脂材で形成されるとともに、
前記接合ピンの端部を溶融により拡径させて前記頭部を形成することを特徴とする燃料電池の製造方法。
【請求項３】
請求項１又は２記載の燃料電池の製造方法において、
前記接合ピンを組み立て位置に位置決め保持する工程は、
前記大径フランジ部に軸方向内方に向かって縮径するテーパ形状に形成された凹部を負圧発生源の作用下に吸引して行なわれることを特徴とする燃料電池の製造方法。
【請求項４】
請求項１乃至３のいずれかに記載の燃料電池の製造方法において、
前記セルユニットを配設する工程は、
該セルユニットを構成する複数のセパレータの周縁部にそれぞれ設けられた複数の締結部を構成する孔部に前記接合ピンが挿入されることによって行なわれる
ことを特徴とする燃料電池の製造方法。
【請求項５】
請求項１乃至４のいずれかに記載の燃料電池の製造方法において、
前記頭部及び前記大径フランジ部で前記セルユニットを一体に保持する工程は前記頭部を溶着装置を構成する溶着チップの成形面を用いて拡径することにより行なうことを特徴とする燃料電池の製造方法。
【請求項６】
請求項１乃至５のいずれかに記載の燃料電池の製造方法において、
前記セルユニットを一体に保持する工程の後に、
互いに隣接する複数の前記セルユニットを積層する積層工程をさらに備え、
前記積層工程は、一方のセルユニットを構成する前記孔部に挿入された前記接合ピンと、他方のセルユニットを構成する前記孔部に挿入された前記接合ピンとが、積層方向に沿って千鳥状に配置されるように前記複数のセルユニットを積層することを特徴とする燃料電池の製造方法。
【請求項７】
請求項１乃至６のいずれかに記載の燃料電池の製造方法において、
予め絶縁樹脂を用いて前記接合ピンを挿入する孔部が設けられた締結部を成形し、該締結部を前記セパレータの周縁部に設けた切り欠き部に固定することを特徴とする燃料電池の製造方法。